(57)【要約】【課題】  装置の導入コストおよびランニングコストを低減することができ、特に比較的低層で規模の小さい建物への給水に好適に利用できる直結型給水装置を提供する。【解決手段】  本発明に係る直結型給水装置は、比較的低層で規模の小さい建物への給水に好適に利用できる。給水装置１は、水道本管２から延びる上流給水管１８と需要先に延びる下流給水管２０とを接続するバイパス管２２と、水道本管２の圧力が低下したときに駆動される単一のポンプ１０とを備えている。また、給水装置１は、上流給水管１８近傍のバイパス管２２とポンプ１０の吸込口とを接続するポンプ吸込管２４と、ポンプ１０の吐出口と下流給水管２０近傍のバイパス管２２とを接続するポンプ吐出管２８とを備えている。【選択図】  図２
2006028817.tif 000002
【特許請求の範囲】
【請求項１】
水道本管から延びる上流給水管と需要先に延びる下流給水管とを接続するバイパス管と、
前記水道本管の圧力が低下したときに駆動される単一のポンプと、
前記上流給水管または前記上流給水管近傍のバイパス管と前記ポンプの吸込口とを接続するポンプ吸込管と、
前記ポンプの吐出口と前記下流給水管または前記下流給水管近傍のバイパス管とを接続するポンプ吐出管と、
を備えたことを特徴とする給水装置。
【請求項２】
前記ポンプ吸込管と前記ポンプ吐出管との間に位置する前記バイパス管の流路を開閉する開閉弁をさらに備えたことを特徴とする請求項１に記載の給水装置。
【請求項３】
前記開閉弁は、前記ポンプを起動させるときに、前記ポンプが駆動し始めた後に前記流路を閉じることを特徴とする請求項２に記載の給水装置。
【請求項４】
前記開閉弁は、前記ポンプを停止させるときに、前記ポンプが完全に停止する前に前記流路を開くことを特徴とする請求項２または３に記載の給水装置。
【請求項５】
前記開閉弁は、該給水装置が停止したときに前記流路を開くように構成されていることを特徴とする請求項２から４のいずれか一項に記載の給水装置。
【請求項６】
前記ポンプ吸込管と前記上流給水管あるいは前記バイパス管との接続部または前記ポンプ吐出管と前記下流給水管あるいは前記バイパス管との接続部に配置された三方弁をさらに備えたことを特徴とする請求項１に記載の給水装置。
【請求項７】
前記ポンプの起動後、前記吐出圧力が、前記水道本管の通常圧力よりも低く、かつ前記始動圧力よりも高い値に設定された目標圧力よりも高い状態が一定時間以上継続したときに前記ポンプを停止する制御部をさらに備えたことを特徴とする請求項１から６のいずれか一項に記載の給水装置。
【請求項８】
前記バイパス管は直線状に形成されていることを特徴とする請求項１から７のいずれか一項に記載の給水装置。
【請求項９】
前記ポンプ吸込管および前記ポンプ吐出管内のそれぞれの流路を遮断する仕切弁をさらに備えたことを特徴とする請求項１から８のいずれか一項に記載の給水装置。
【発明の詳細な説明】
【技術分野】
【０００１】
本発明は、給水装置に係り、特に水道本管に直結され、水道本管の水道水を末端の需要先に供給する直結型給水装置に関するものである。
【背景技術】
【０００２】
図１は、従来の直結型給水装置５００を示す概略図である。図１に示すように、従来の直結型給水装置５００は、複数台のポンプ５０２と、ポンプ５０２を駆動するモータ５０４と、モータ５０４の回転周波数を制御するインバータ５０６と、インバータ５０６をはじめとする各種機器を制御する制御部５０８とを備えている。これらのポンプ５０２は、水道本管５１０から延びる上流給水管５１２にポンプ吸込管５１４を介して接続され、ビルやマンションなどの需要家の給水末端に延びる下流給水管５１６にポンプ吐出管５１８を介して接続されている。
【０００３】
この給水装置５００は、上流給水管５１２と下流給水管５１６に接続されるバイパス管５２０を備えている。このバイパス管５２０には、下流給水管５１６側から上流給水管５１２側に水が逆流することを防止するための逆止弁５２２が設けられている。ポンプ吐出管５１８には、ポンプ５０２が停止した場合に吐出側から吸込側に水が逆流することを防止するための逆止弁５２４と、ポンプ吐出管５１８内の水量が少なくなったことを検出するフロースイッチ５２６が設けられている。このフロースイッチ５２６の出力は制御部５０８に入力される。
【０００４】
ポンプ５０２の吐出側のポンプ吐出管５１８およびバイパス管５２０は、１本の下流給水管５１６に合流され、この下流給水管５１６には、ポンプ５０２の吐出圧力を検出する圧力センサ５２８が設けられている。この圧力センサ５２８の出力信号は制御部５０８に入力される。また、下流給水管５１６には圧力タンク５３４が接続されており、フロースイッチ５２６により水量が少なくなったことが検出された場合には、ポンプ５０２の締切運転を防止するために、圧力タンク５３４に蓄圧してからポンプ５０２の運転を停止する。
【０００５】
上流給水管５１２には、ポンプ５０２側の水が水道本管５１０に逆流しないようにする逆流防止装置５３０が設けられている。この逆流防止装置５３０の上流側には、上流給水管５１２内の圧力を測定する圧力センサ５３２が設けられており、この圧力センサ５３２の出力信号は制御部５０８に送られる。
【０００６】
このような構成の直結型給水装置５００においては、圧力センサ５２８，５３２やフロースイッチ５２６などの出力信号に基づいて、インバータ５０６によりポンプ５０２の回転速度（回転周波数）が可変速制御される。
【０００７】
すなわち、需要家の水の使用により、圧力センサ５２８により検出される吐出圧力が予め設定された始動圧力以下に低下すると、いずれか一方のポンプ５０２が始動される。そして、２つの圧力センサ５２８，５３２の出力に基づいて、制御部５０８により末端圧力一定制御または吐出圧力一定制御が行われる。圧力センサ５３２により検出される吸込圧力が、ポンプ５０２を運転しなくても目標圧力を満足できるまで高くなると、ポンプ５０２の運転が停止される。その後、圧力センサ５２８により検出される吐出圧力が上述した始動圧力以下に低下すると、ポンプ５０２が再び起動されるが、この場合にはもう一方のポンプ５０２に切替えられて各ポンプ５０２の運転時間が平均化される。
【０００８】
また、ポンプ５０２の運転中にフロースイッチ５２６がＯＮになると、水の使用のない、水量が少ない状態と判断され、ポンプ５０２の運転が停止される。この状態で吐出圧力の低下などにより水の使用が検知されると、上述と同様に、ポンプ５０２が再起動される。
【０００９】
このような従来の直結型給水装置は、比較的高層の集合住宅やビルなど、大型のポンプによるブーストアップが不可欠な大規模な建物を対象としており、このような建物においては、ポンプの異常停止が断水に直結するため、ポンプを複数台備えてバックアップ機能を持たせることが必要不可欠である。このため、従来の給水装置５００は、複数台のポンプ５０２を備えており、運転中に特定のポンプ５０２やインバータ５０６の異常が検知された場合には、他の正常なポンプ５０２やインバータ５０６に運転を切替えて給水を継続するようになっている。
【００１０】
しかしながら、３〜５階程度の比較的低層で小規模の集合住宅などにおいては、ほとんどの場合、水道本管５１０の圧力のみで末端の需要先への給水を行うことができる。このような建物についても、水道本管５１０の圧力の低下によって希に上層階での給水圧力が十分でなくなる場合を想定して、上述したような直結給水装置を設置することが多い。しかしながら、通常、水道本管５１０の圧力のみで末端の需要先への給水を行うことができるため、ポンプが運転されることは希である。したがって、従来のポンプを複数台備えた直結型給水装置は、コストおよび設置場所の点から大きな負担となる。
【００１１】
また、上述した従来の直結型給水装置５００を比較的低層で小規模の集合住宅などに用いた場合、ほとんどポンプ５０２を運転することなく、バイパス管５２０を通して給水が行われることとなるため、バイパス管５２０に設けられた逆止弁５２２により常に圧力損失が生じる状態となってしまう。
【００１２】
また、従来の直結型給水装置では、上流給水管５１２内の圧力を測定するために、上流給水管５１２に比較的高価な圧力センサ５３２を設ける必要があり、この圧力センサ５３２がコストの上昇を招いている。さらに、水道水の使用者の使い勝手を考えると、給水をできる限り途切れさせずにポンプの交換等のメンテナンスが可能なことが望まれる。
【発明の開示】
【発明が解決しようとする課題】
【００１３】
本発明は、このような従来技術の問題点に鑑みてなされたもので、装置の導入コストおよびランニングコストを低減することができ、特に比較的低層で規模の小さい建物への給水に好適に利用できる直結型給水装置を提供することを目的とする。
【課題を解決するための手段】
【００１４】
本発明の一態様によれば、比較的低層で規模の小さい建物への給水に好適に利用できる直結型給水装置が提供される。給水装置は、水道本管から延びる上流給水管と需要先に延びる下流給水管とを接続するバイパス管と、上記水道本管の圧力が低下したときに駆動される単一のポンプとを備えている。また、給水装置は、上記上流給水管または上記上流給水管近傍のバイパス管と上記ポンプの吸込口とを接続するポンプ吸込管と、上記ポンプの吐出口と上記下流給水管または上記下流給水管近傍のバイパス管とを接続するポンプ吐出管とを備えている。なお、ポンプとしては、低揚程で比較的流量のあるときに効率のよいポンプを用いることが好ましい。
【００１５】
比較的低層で小規模の集合住宅などについては、ほとんどの場合、水道本管の圧力のみで給水を行うことができるので、通常時はバイパス管を介して需要先に給水を行い、水道本管の圧力が低下した場合には単一のポンプにより需要先に給水を行うことができる。このように、本発明に係る給水装置によれば、ポンプを１台しか必要としないため、装置の導入コストおよびランニングコストを低減することができる。
【００１６】
また、水道本管の圧力が回復すれば、需要先における使用水量の多少にかかわらず確実にポンプの停止がなされる。したがって、使用水量が少ないことを検出してポンプを停止するためのフロースイッチなどの検出手段が不要となり、装置のコストダウンを図ることができる。また、ポンプの停止時にも水道本管の圧力で十分な給水が可能であるため、使用水量が少なくポンプが停止しているときの給水をまかなうための圧力タンクも不要とすることができる。したがって、装置の小型化およびコストダウンを図ることができる。また、本発明によれば、上流給水管内の圧力を測定する必要がないので、比較的高価な圧力センサを取り付ける必要がなくなり、装置のコストダウンを図ることができる。
【００１７】
給水装置は、上記ポンプ吸込管と上記ポンプ吐出管との間に位置する上記バイパス管の流路を開閉する開閉弁を備えていてもよい。従来のように逆止弁を使用した場合には、バイパス管による給水時に逆止弁に逆らって給水を行う必要があるが、上述のように開閉弁を用いることにより、バイパス管による給水時に逆止弁に逆らって給水を行う必要がなく、圧力損失を低減することができる。
【００１８】
上記ポンプを起動させるときに、ポンプが駆動し始める前に上記開閉弁を閉じてしまうと、給水圧力が不足している状態でさらに開閉弁により圧力損失を増やしてしまうことになるので、上記開閉弁は、上記ポンプが駆動し始めた後に上記流路を閉じることが好ましい。
【００１９】
また、上記ポンプを停止させるときに、ポンプが完全に停止した後に開閉弁を開くとすると、開閉弁が開くまでの間の圧力損失が大きいので、上記開閉弁は、上記ポンプが完全に停止する前に上記流路を開くことが好ましい。
【００２０】
さらに、上記開閉弁は、該給水装置が停止したときに上記流路を開くように構成されていることが好ましい。
【００２１】
上記開閉弁に代えて、上記ポンプ吸込管と上記上流給水管あるいは上記バイパス管との接続部または上記ポンプ吐出管と上記下流給水管あるいは上記バイパス管との接続部に三方弁を配置してもよい。
【００２２】
給水装置は、上記ポンプの吐出圧力を検出する圧力センサと、上記圧力センサにより検出された吐出圧力が、上記水道本管の通常圧力よりも低い値に設定された始動圧力以下になったときに、上記ポンプを駆動する制御部とを含むことができる。また、給水装置は、上記ポンプの起動後、上記吐出圧力が、上記水道本管の通常圧力よりも低く、かつ上記始動圧力よりも高い値に設定された目標圧力よりも高い状態が一定時間以上継続したときに上記ポンプを停止する制御部を含むことができる。
【００２３】
上記バイパス管は直線状に形成されていることが好ましい。このように、バイパス管を直線状に形成することで、バイパス管を通して給水を行うときの水流による圧力損失を最小にすることができる。
【００２４】
また、上記ポンプ吸込管と上記上流給水管または上記バイパス管との接続部の上流側に、圧力スイッチを配置してもよい。この圧力スイッチの作動圧力を適切に設定することにより、何らかの原因で水道本管の圧力が大きく低下した場合に、ポンプの運転を停止することができる。
【００２５】
給水装置は、上記ポンプ吸込管および上記ポンプ吐出管内のそれぞれの流路を遮断する仕切弁をさらに備えていることが好ましい。それぞれの仕切弁を閉じることにより、ポンプを上記バイパス管から分離することができるので、バイパス管を介した給水を途切れさせることなく、ポンプの交換などのメンテナンスを行うことができる。
【発明の効果】
【００２６】
本発明によれば、装置の導入コストおよびランニングコストを低減することができ、特に比較的低層で規模の小さい建物へ給水を効果的に実現することができる。
【発明を実施するための最良の形態】
【００２７】
以下、本発明に係る給水装置の実施形態について図２から図９を参照して詳細に説明する。なお、図２から図９において、同一または相当する構成要素には、同一の符号を付して重複した説明を省略する。
【００２８】
図２は、本発明の第１の実施形態における給水装置１を示す模式図である。この給水装置１は、比較的低層で小規模の集合住宅などに好適に用いることができ、通常時には水道本管２の圧力（通常圧力）のみで末端の需要先に水道水を供給できる場合に適用される。図２に示すように、給水装置１は、１台のポンプ１０と、このポンプ１０を駆動するモータ１２と、モータ１２およびその他の機器を制御する制御部１４とを有する装置本体１６を備えている。この装置本体１６は、水道本管２から延びる上流給水管１８と、需要家の給水末端に延びる下流給水管２０とに接続されている。
【００２９】
装置本体１６は、流入口１６ａで上流給水管１８に、流出口１６ｂで下流給水管２０にそれぞれ接続されるバイパス管２２を備えている。このバイパス管２２の上流給水管１８の近傍には、ポンプ１０の吸込口に接続されるポンプ吸込管２４が仕切弁２６を介して取り付けられており、バイパス管２２の下流給水管２０の近傍には、ポンプ１０の吐出口に接続されるポンプ吐出管２８が仕切弁３０を介して取り付けられている。
【００３０】
制御部１４は、モータ１２の回転周波数（回転速度）を可変速制御するインバータ３２と、このインバータ３２をはじめとする各種機器を制御するコントローラ３４と、給水装置１の運転状態を表示したり、運転条件の入力などの各種設定を行ったりするための表示操作部（図示せず）を備えている。
【００３１】
装置本体１６の上流側の上流給水管１８には、装置本体１６から水道本管２に水道水が逆流するのを防止して、水道本管２内の水道水の汚染を防止する逆流防止機構３６が設けられている。このような逆流防止機構３６としては、複式逆止弁や減圧式逆流防止器などを用いることができる。また、単に逆止弁を逆流防止機構３６として用いてもよい。この逆流防止機構３６の上流側には、上流給水管１８内の水圧が所定の圧力になったときに作動する圧力スイッチ３８が設けられている。この圧力スイッチ３８の出力信号は制御部１４のコントローラ３４に送られる。
【００３２】
装置本体１６内のポンプ吐出管２８には、ポンプ吐出管２８内の水圧（吐出圧力）を測定する圧力センサ４０が設けられている。この圧力センサ４０の出力信号は制御部１４のコントローラ３４に送られる。また、装置本体１６内のバイパス管２２には、ポンプ吸込管２４とポンプ吐出管２８との間に位置する流路を開閉する自動開閉弁４２が設けられている。この自動開閉弁４２は、制御部１４のコントローラ３４からの信号によって開閉が制御される。
【００３３】
この自動開閉弁４２は、停電などにより給水装置１が停止したときには、自動的に流路を開くように構成されている。また、インバータ３２がトリップした場合やポンプ１０が故障した場合などにおいても、自動開閉弁４２が開かれるようになっている。これらの場合においては、一定時間経過後にポンプ起動のリトライが行われ、正常にポンプ１０が起動した場合には、自動開閉弁４２が閉じられる。
【００３４】
上述したように、通常時には、水道本管２の圧力（通常圧力）により需要先への十分な給水が行えるため、給水装置１のポンプ１０は停止しており、バイパス管２２の自動開閉弁４２は開いている。したがって、水道本管２内の水道水は、主に上流給水管１８、バイパス管２２、下流給水管２０を通って末端の需要先に供給される。なお、一部の水道水は、ポンプ吸込管２４、ポンプ１０、ポンプ吐出管２８を通過して下流給水管２０に至る。
【００３５】
ここで、地域の給水量が増大するなどにより水道本管２の圧力が若干低下すると、高い位置にある末端の需要先で十分な給水を確保するには水道本管２の圧力だけでは不十分となる場合がある。このような場合には、ポンプ吐出管２８に設けられた圧力センサ４０が、予め設定された始動圧力を下回ったことを検出し、これを受けて制御部１４のコントローラ３４は、ポンプ１０を起動するとともに、バイパス管２２に設けられた自動開閉弁４２を閉じる。この場合において、ポンプ１０が駆動し始める前に自動開閉弁４２を閉じてしまうと、給水圧力が不足している状態でさらに自動開閉弁４２により圧力損失を増やしてしまうことになるので、ポンプ１０が駆動し始めた後に自動開閉弁４２を閉じるのが好ましい。
【００３６】
このとき、水道本管２の圧力の変動を抑制するため、ポンプ１０はソフトスタートされるが、自動開閉弁４２も急激に閉止するのではなく、１〜３秒の時間をかけてゆっくり閉止することが好ましい。また、このように閉止に時間をかけることによって、ポンプ１０の圧力制御によって急激な圧力変化が生じることなく、ポンプ１０の運転による給水に滑らかに移行することができる。
【００３７】
ポンプ１０の始動後は、圧力センサ４０により検出された圧力が、設定された目標圧力と一致するように、インバータ３２によりポンプ１０の回転速度が制御され、ポンプ１０の吐出圧力が一定になるように吐出圧力一定制御が行われる。このように、本実施形態では、吐出圧力一定制御が行われるが、水道本管２の圧力の低下によりポンプ１０を作動させなければならない時間は短いと考えられるので、末端の需要先における供給水圧を一定に制御する末端圧力一定制御を行わなくても省エネルギーに対する問題はほとんど生じない。なお、ポンプ１０の吐出圧力の目標値を適切に変化させることにより末端圧力一定制御を行ってもよいことは言うまでもない。
【００３８】
ポンプ１０の運転中は、ポンプ１０によって加圧された水がバイパス管２２を逆流して上流給水管１８側に戻ってしまわないようにしなければならないため、バイパス管２２に逆止弁などの手段を設けることも考えられる。しかしながら、逆止弁を使用した場合には、バイパス管２２による給水時（ポンプ１０の停止時）に逆止弁に逆らって給水を行う必要がある。本実施形態では、逆止弁を用いずに、自動開閉弁４２を用いているため、バイパス管２２による給水時に逆止弁に逆らって給水を行う必要がなく、圧力損失を低減することができる。
【００３９】
なお、ポンプ１０の始動圧力や目標圧力は、制御部１４の表示操作部において設定される。これらの始動圧力や目標圧力は、コントローラ３４内のメモリ（記憶装置）に記憶される。始動圧力は、計画最大給水量において最も高い位置にある需要先で十分な給水が行える圧力、あるいはそれよりも若干低い圧力に設定される。目標圧力は、始動圧力より若干高い値に設定される。なお、通常は、水道本管２の圧力だけで十分に給水が可能であるため、始動圧力および目標圧力ともに通常時の水道本管２の圧力（通常圧力）よりも低い値に設定される。
【００４０】
上述のようにしてポンプ１０を始動した後、水道本管２の圧力が回復していくと、ポンプ１０の回転速度が徐々に下げられ、最終的には最低回転速度まで下げられる。この最低回転速度において、圧力センサ４０により検出される吐出圧力が目標圧力より高い状態が一定時間以上継続すると、コントローラ３４は、水道本管２の圧力が通常の圧力まで回復した（すなわち、ポンプ１０を作動させなくても十分に給水が可能である）と判断し、ポンプ１０を停止して自動開閉弁４２を開く。
【００４１】
このとき、ポンプ１０を停止すると、水道本管２の圧力だけで給水を行うことになるが、ポンプ１０が完全に停止した後に自動開閉弁４２を開くとすると、自動開閉弁４２が開くまでの間の圧力損失が大きいので、ポンプ１０が完全に停止する前に自動開閉弁４２を開くのが好ましい。また、ポンプ１０を停止する際も、ポンプ１０の起動時と同様に、自動開閉弁４２を１〜３秒の時間をかけてゆっくり開くのが好ましい。
【００４２】
このようにして、自動開閉弁４２が開かれポンプ１０が停止されて、再び水道本管２の圧力のみによる給水が行われる。このように、本実施形態においては、水道本管２の圧力が回復すれば、需要先における使用水量の多少にかかわらず確実にポンプ１０の停止がなされる。したがって、使用水量が少ないことを検出してポンプ１０を停止するためのフロースイッチなどの検出手段（図１の符号５２６参照）が不要となり、装置のコストダウンを図ることができる。また、ポンプ１０の停止時にも水道本管２の圧力で十分な給水が可能であるため、従来の給水装置において必要とされていた、使用水量が少なくポンプが停止しているときの給水をまかなうための圧力タンク（図１の符号５３４参照）も不要とすることができる。したがって、装置の小型化およびコストダウンを図ることができる。
【００４３】
なお、水道本管２の圧力が低下していてポンプ１０を運転しなければならない場合でも、需要側の水の使用がなければポンプ１０を運転する必要がない。そのため、需要側における水の使用の有無を検知する検知手段を備えて、水の使用が少ない場合にはポンプ１０の運転を停止する制御を行うこともできる。例えば、ポンプ１０や配管の温度上昇を検出してポンプが締切運転されていることを検知したり、フロースイッチを用いたりすることができる。また、このように積極的に水使用の有無を検知しなくても、需要側の水使用が過少であれば、上述したように、ポンプ１０の回転速度は最低回転速度まで下がっていくため、最低回転速度での一定時間の運転の後ポンプ１０が停止される。
【００４４】
ここで、何らかの原因で水道本管２の圧力が大きく低下した場合、水道本管２への汚水の流入防止や給水の平等の観点から、給水装置１のポンプ１０の運転を停止しなければならない。本実施形態では、このような場合のポンプ１０の運転制御は、逆流防止機構３６の上流に設けられた圧力スイッチ３８により行われる。すなわち、圧力スイッチ３８の作動圧力は、上述した汚水の流入防止や給水平等の観点からポンプ１０の運転を停止しなければならない圧力に設定されている。
【００４５】
すなわち、水道本管２の圧力が大きく低下する途中において、需要側への給水量が０でなければポンプ１０は運転されているが、ポンプ１０の運転中に圧力スイッチ３８が作動すると、圧力スイッチ３８の出力信号が制御部１４のコントローラ３４に入力される。これを受けて、コントローラ３４は、ポンプ１０の運転を停止し、バイパス管２２の自動開閉弁４２を開く。ここで、自動開閉弁４２を開くのは、ポンプ１０の運転はできないとはいえ、できる限りの給水を確保するためである。その後、水道本管２の圧力が回復して、圧力スイッチ３８の作動解除圧力を超えると、その出力信号を受けたコントローラ３４は、ポンプ１０を始動し、自動開閉弁４２を閉じる。
【００４６】
上述のように、比較的低層で小規模の集合住宅などにおいては、ほとんどの場合、水道本管２の圧力のみで給水が行うことができる。また、水道本管２の圧力の低下によって上層階での給水圧力が十分でなくなったとしても、この給水圧力が不十分となる時間は非常に短期間であると考えられる。したがって、本実施形態においては、ポンプ１０が故障した場合においてもバイパス管２２を通して給水がなされるので、ポンプ１０が１台であっても、ポンプ１０が修理されるまでの間に実用上の支障をきたすことはほとんどない。
【００４７】
また、図２に示すように、本実施形態におけるバイパス管２２は、装置本体１６の流入口１６ａから流出口１６ｂまで直線状に形成されており、ポンプ吸込管２４およびポンプ吐出管２８がこの直線状のバイパス管２２から側方に分岐して延びる構成となっている。このように、バイパス管２２を直線状に形成することで、バイパス管２２を通して給水を行うときの水流による圧力損失を最小にすることができる。なお、バイパス管２２に接続される上流給水管１８や下流給水管２０も直線状に形成してもよい。
【００４８】
また、本実施形態によれば、ポンプ１０のメンテナンス時などにおいては、２つの仕切弁２６，３０を閉じることにより、ポンプ１０をバイパス管２２から分離することができるので、バイパス管２２を介した給水を途切れさせることなく、ポンプ１０の交換などのメンテナンスを行うことができる。
【００４９】
図２では、ポンプ吸込管２４およびポンプ吐出管２８がバイパス管２２から分岐している例を示しているが、ポンプ吸込管２４は上流給水管１８から分岐してもよく、また、ポンプ吐出管２８は下流給水管２０から分岐してもよい。
【００５０】
図３は図２に示す装置本体１６の構造の一例を示す縦断面図、図４は図３の平面図、図５は図３の右側面図である。図３に示すように、装置本体１６内の各機器は、ベース５０上に固定脚（図示せず）により支持された状態で配置されており、これらの機器はカバー５２によって覆われている。カバー５２の上部には透明な窓５４が設けられている。なお、図２ではポンプ吐出管２８に圧力センサ４０を設けた例を示したが、図３ではバイパス管２２に圧力センサ４０ａを設けた例を示している。
【００５１】
図３および図４に示すように、装置本体１６の制御部１４の上面には、上述したポンプ１０の始動圧力等の設定や運転状況の表示等を行う表示操作部５６が配置されており、装置本体１６の上面に表示操作部５６が露出するようになっている。したがって、小型の装置本体１６において、作業者が表示操作部５６の表示の確認や設定の変更を行いやすいようになっている。また、この表示操作部５６は、透明な窓５４の下方に位置しており、カバー５２をしたままでも表示操作部５６の表示内容が確認できるようになっている。また、本実施形態における表示操作部５６は、装置本体１６の設置状態に応じて向きを変えられるように構成されており、作業者の使い勝手が悪くならないようになっている。例えば、図６に示すように、表示操作部５６を１８０度回転できるようになっている。
【００５２】
図７は図２に示す装置本体１６の構造の他の例を示す縦断面図、図８は図７の平面図である。この例では、バイパス管２２の上方にポンプ１０が配置されている。また、図２では装置本体１６の外部に逆流防止機構３６を配置した例を示したが、図７では装置本体１６のカバー５２の内部に逆流防止機構３６ａを配置した例を示している。表示操作部５６を含む制御部１４はこの逆流防止機構３６ａの上方に配置されている。図７および図８に示す例では、装置本体１６の幅を小さくすることができるので、設置場所の自由度が増える。
【００５３】
図９は、本発明の第２の実施形態における給水装置１０１を示す模式図である。この給水装置１０１は、図２の自動開閉弁４２に代えて、自動三方弁１４２を用いている。すなわち、ポンプ吸込管２４とバイパス管２２との接続部に自動三方弁１４２を配置し、この自動三方弁１４２によって、上流給水管１８、バイパス管２２、ポンプ吸込管２４との間で流路を選択できるようになっている。ポンプ１０が運転されているときは、水道本管２からの水道水が上流給水管１８からポンプ吸込管２４に流れるように自動三方弁１４２が制御され、ポンプ１０が運転されていないときは、水道水が上流給水管１８からバイパス管２２に流れるように自動三方弁１４２が制御される。
【００５４】
図９では、ポンプ吸込管２４とバイパス管２２との接続部に自動三方弁１４２を配置した例を示しているが、ポンプ吐出管２８とバイパス管２２との接続部に自動三方弁１４２を配置してもよい。また、ポンプ吸込管２４が上流給水管１８から分岐される場合は、ポンプ吸込管２４と上流給水管１８との接続部に自動三方弁１４２を配置してもよい。同様に、ポンプ吐出管２８が下流給水管２０から分岐される場合は、ポンプ吐出管２８と下流給水管２０との接続部に自動三方弁１４２を配置してもよい。
【００５５】
なお、装置内部の水を停滞させないように、定期的にポンプ１０を低速で運転してもよい。また、上述した第１の実施形態においても、自動開閉弁４７を開けた状態でポンプ１０を低速で運転することで水の停滞を防止することができる。
【００５６】
これまで本発明の一実施形態について説明したが、本発明は上述の実施形態に限定されず、その技術的思想の範囲内において種々異なる形態にて実施されてよいことは言うまでもない。
【図面の簡単な説明】
【００５７】
【図１】従来の給水装置を示す模式図である。
【図２】本発明の第１の実施形態における給水装置を示す模式図である。
【図３】図２に示す装置本体の構造の一例を示す縦断面図である。
【図４】図３の平面図である。
【図５】図３の右側面図である。
【図６】図４の表示操作部の向きを変更した例を示す部分平面図である。
【図７】図２に示す装置本体の構造の他の例を示す縦断面図である。
【図８】図７の平面図である。
【図９】本発明の第２の実施形態における給水装置を示す模式図である。
【符号の説明】
【００５８】
１，１０１    給水装置
１０    ポンプ
１２    モータ
１４    制御部
１６    装置本体
１６ａ  流入口
１６ｂ  流出口
１８    上流給水管
２０    下流給水管
２２    バイパス管
２４    ポンプ吸込管
２６，３０    仕切弁
２８    ポンプ吐出管
３２    インバータ
３４    コントローラ
３６，３６ａ    逆流防止機構
３８    圧力スイッチ
４０，４０ａ    圧力センサ
４２    自動開閉弁
５０    ベース
５２    カバー
５４    窓
５６    表示操作部
１４２    自動三方弁
【図１】
2006028817.tif 000003
【図２】
2006028817.tif 000004
【図３】
2006028817.tif 000005
【図４】
2006028817.tif 000006
【図５】
2006028817.tif 000007
【図６】
2006028817.tif 000008
【図７】
2006028817.tif 000009
【図８】
2006028817.tif 000010
【図９】
2006028817.tif 000011